(57)【要約】【課題】前面パネルを容易に位置決めすることができ、筐体の組立後において露出する意匠面が傷付くことを抑制できる空気調和機の室外機を得る。【解決手段】筐体１０を備え、筐体１０は、筐体１０の一方の側面部と、側面部に隣接する筐体１０の前面部の一部とを構成する左側面パネル４と、左側面パネル４とともに、筐体１０の前面部を構成する前面左側パネル２と、筐体１０の天面部を構成する天面パネル７とを有し、前面左側パネル２の上端部には、筐体１０の背面側に突出する仮固定爪部２ａが設けられ、左側面パネル４の前面側の上端部には、仮固定爪部２ａが挿入される仮固定角穴部４ａが設けられ、左側面パネル４と前面左側パネル２とは、筐体１０の前面側で固定され、仮固定爪部２ａ及び仮固定角穴部４ａは、天面パネル７で覆われる。【選択図】図５
2014070861.tif 000002
【特許請求の範囲】
【請求項１】
筐体を備え、
前記筐体は、
該筐体の一方の側面部と、該側面部に隣接する該筐体の前面部の一部とを構成する側面パネルと、
前記側面パネルとともに、該筐体の前面部を構成する前面パネルと、
該筐体の天面部を構成する天面パネルとを有し、
前記前面パネルの上端部には、前記筐体の背面側に突出する仮固定爪部が設けられ、
前記側面パネルの前面側の上端部には、前記仮固定爪部が挿入される仮固定穴部が設けられ、
前記側面パネルと前記前面パネルとは、前記筐体の前面側で固定され、
前記仮固定爪部及び前記仮固定穴部は、前記天面パネルで覆われる
ことを特徴とする空気調和機の室外機。
【請求項２】
前記前面パネルには、前記筐体の背面側に突出する本固定爪部が設けられ、
前記側面パネルには、前記仮固定爪部が前記仮固定穴部に挿入された状態で前記前面パネルを回動させて、前記本固定爪部が挿入される本固定穴部が設けられている
ことを特徴とする請求項１記載の空気調和機の室外機。
【発明の詳細な説明】
【技術分野】
【０００１】
本発明は、空気調和機の室外機に関する。
【背景技術】
【０００２】
近年、高性能化且つ大能力化された、室内機及び室外機により構成される分離型空気調和機の普及が著しくなっている。この分離型空気調和機の高性能化且つ大能力化に伴い、室外機の筐体は大型化している。
【０００３】
このような分離型空気調和機には、室外機の筐体を構成する前面左側パネルが大型化しているものがあるが、「バッフルプレート３７の支持孔５３にフロントパネル３１の支持爪４９を挿通させて、係止突起５１をバッフルプレート３７に係止させ」、「支持爪４９を回動中心としてフロントパネル３１を回動させ、左側の縁部５５を室外機ユニット５に近づけ」、フロントパネル３１の仮止め爪５７を熱交側板３９に仮止めし、分離型空気調和機の組立容易性の向上を図っているものがあった（例えば、特許文献１参照）。
【先行技術文献】
【特許文献】
【０００４】
【特許文献１】特開２００６−２４２５４４号公報（［００２４］、図２）
【発明の概要】
【発明が解決しようとする課題】
【０００５】
特許文献１に示される分離型空気調和機では、フロントパネル（前面パネル）が、バッフルプレート及び熱交側板（側面パネル）のうち筐体の組立後において露出しない筐体の側面側で固定される。このため、筐体の組立後において露出する室外機の意匠面が、フロントパネルの支持爪及び仮止め爪で傷付けられることはなかった。
【０００６】
しかしながら、前面パネル及び側面パネルの合せ部が筐体の側面側であると、前面パネル及び側面パネルの合せ部を確認し難いため、前面パネルの位置決めが困難であるという課題があった。
【０００７】
また、前面パネル及び側面パネルの合せ部が筐体の前面側である場合には、前面パネルに設けられる爪部で筐体の組立後において露出する室外機の意匠面を傷付けてしまうおそれがあるという課題があった。
【０００８】
本発明は、上述のような課題を背景としてなされたもので、前面パネルを容易に位置決めすることができ、筐体の組立後において露出する意匠面が傷付くことを抑制できる空気調和機の室外機を得ることを目的とする。
【課題を解決するための手段】
【０００９】
本発明に係る空気調和機の室外機は、筐体を備え、前記筐体は、該筐体の一方の側面部と、該側面部に隣接する該筐体の前面部の一部とを構成する側面パネルと、前記側面パネルとともに、該筐体の前面部を構成する前面パネルと、該筐体の天面部を構成する天面パネルとを有し、前記前面パネルの上端部には、前記筐体の背面側に突出する仮固定爪部が設けられ、前記側面パネルの前面側の上端部には、前記仮固定爪部が挿入される仮固定穴部が設けられ、前記側面パネルと前記前面パネルとは、前記筐体の前面側で固定され、前記仮固定爪部及び前記仮固定穴部は、前記天面パネルで覆われるものである。
【発明の効果】
【００１０】
本発明によれば、前面パネル及び側面パネルの合せ部が筐体の前面側であるため、前面パネルを容易に位置決めすることができる。
また、本発明によれば、前面パネルが、側面パネルのうち筐体の組立後において露出しない室外機の非意匠面で固定されるため、筐体の組立後において露出する室外機の意匠面が傷付くことを抑制でき、室外機の組立作業時の品質の安定性が向上する。
【図面の簡単な説明】
【００１１】
【図１】本発明の実施の形態１に係る空気調和機の室外機の前面側の斜視図である。
【図２】本発明の実施の形態１に係る空気調和機の室外機の背面側の斜視図である。
【図３】本発明の実施の形態１に係る空気調和機の室外機のパネル配置図である。
【図４】図３のＡ部分の主要部の部分拡大図である。
【図５】本発明の実施の形態１に係る空気調和機の室外機のパネル取付図である。
【図６】図５のＢ部分の主要部の部分拡大図である。
【図７】本発明の実施の形態１に係る空気調和機の室外機のパネル取付図である。
【図８】図７のＣ部分の主要部の部分拡大図である。
【図９】本発明の実施の形態１に係る空気調和機の室外機の前面左側パネル及び左側面パネルの平面図である。
【発明を実施するための形態】
【００１２】
実施の形態１．
図１は、本発明の実施の形態１に係る空気調和機の室外機１００の前面側の斜視図である。図２は、本発明の実施の形態１に係る空気調和機の室外機１００の背面側の斜視図である。図３は、本発明の実施の形態１に係る空気調和機の室外機１００のパネル配置図である。
【００１３】
図１及び図２に示されるように、室外機１００は、圧縮機（図示せず）、熱交換器２０（後述する）、及び室外機１００の外壁を構成する略直方体の筐体１０を備えている。筐体１０は、前面左側パネル２、前面右側パネル３、左側面パネル４、背面右側パネル５、背面左側パネル６、天面パネル７、及び底面パネル（図示省略）を備えている。筐体１０を構成する各パネルは、例えば金属製の板で構成される。
【００１４】
図１に示されるように、前面左側パネル２は、格子状のファンガード２ｃを有し、筐体１０の前面部の一部を構成している。図３に示されるように、前面左側パネル２には、上下にそれぞれ略円形の開口部である吹出口２Ａが形成されている。図１に示されるように、前面右側パネル３は、筐体１０の前面部の一部及び右側面部を構成している。
【００１５】
図１に示されるように、左側面パネル４には、例えば長円形状の開口部である吸込口４Ａが、前後２列のそれぞれに対して複数段に亘って形成されている。吸込口４Ａは、室外機１００の内部と室外機１００の外部とを連通させる。左側面パネル４は、筐体１０の前面部の一部及び左側面部を構成している。なお、吸込口４Ａが、前後２列のそれぞれに対して複数段に亘って形成されている例について説明したが、開口部の数はこれに限定されない。
【００１６】
図２に示されるように、背面右側パネル５は、筐体１０の背面側の一部を構成している。背面左側パネル６は、開口部である吸込口６Ａが形成されており、筐体１０の背面部の一部を構成している。吸込口６Ａは、室外機１００の内部と室外機１００の外部とを連通させる。
【００１７】
図１及び図２に示されるように、天面パネル７は、筐体１０の天面部を構成している。天面パネル７が組み立てられると、前面左側パネル２、前面右側パネル３、左側面パネル４、背面右側パネル５、及び背面左側パネル６の上端部が覆われる。この覆われた部分が、筐体１０の組立後において露出しない室外機１００の非意匠面となる。
【００１８】
なお、前面左側パネル２が、本発明における前面パネルに相当する。
また、左側面パネル４が、本発明における側面パネルに相当する。
【００１９】
図３に示されるように、室外機１００の内部には、熱交換器２０、ファン３０、及び仕切板４０が設けられている。
【００２０】
熱交換器２０は、例えば室外機１００の左側面側及び背面側に沿って略Ｌ字型状に形成されている。熱交換器２０は、例えば伝熱管（図示省略）及び所定の間隔で複数配置されたフィン（図示省略）を有し、冷媒配管に接続されて冷媒回路の一部を構成している。
【００２１】
ファン３０は、例えば室外機１００内部の上下にそれぞれ設けられ、熱交換器２０よりも室外機１００の前面側に位置している。ファン３０の運転が開始されると、外気は、左側面パネル４の吸込口４Ａ及び背面左側パネル６の吸込口６Ａから室外機１００の内部に吸い込まれ、熱交換器２０、ファン３０の順に通過する。ファン３０を通過した外気は、前面左側パネル２の吹出口２Ａを通過して、室外機１００の外部に吹き出される。
【００２２】
仕切板４０は、室外機１００の内部を、熱交換器２０及びファン３０が設けられる熱交換室と、圧縮機（図示省略）及び電装品箱（図示省略）等が設けられる機械室とに区画する、剛性を有する板である。
【００２３】
図４は、図３のＡ部分の主要部の部分拡大図である。図５は、本発明の実施の形態１に係る空気調和機の室外機１００のパネル取付図である。図６は、図５のＢ部分の主要部の部分拡大図である。
ここでは、前面左側パネル２と左側面パネル４とを、左側面パネル４の上端部であって、筐体１０の組立後において露出しない室外機１００の非意匠面で仮固定するための構造について説明する。
図４に示されるように、前面左側パネル２の上端部には、筐体１０の背面側に突出する、位置決めを目的とする仮固定用の仮固定爪部２ａが設けられている。また、左側面パネル４の前面側の上端部には、位置決めを目的とする、角穴形状の仮固定角穴部４ａが設けられている。
【００２４】
図４に示される状態で、前面左側パネル２の仮固定爪部２ａが左側面パネル４の仮固定角穴部４ａへ挿入されて係止されると、図５及び図６に示されるように、前面左側パネル２と左側面パネル４とが仮固定される。なお、図１及び図２に示されるように、室外機１００の組立後には、前面左側パネル２及び左側面パネル４の上端部が天面パネル７により覆われるため、仮固定爪部２ａ及び仮固定角穴部４ａが露出することはない。
【００２５】
図７は、本発明の実施の形態１に係る空気調和機の室外機１００のパネル取付図である。図８は、図７のＣ部分の主要部の部分拡大図である。
図９は、本発明の実施の形態１に係る空気調和機の室外機１００の前面左側パネル２及び左側面パネル４の平面図である。
ここでは、上述した仮固定後に行われる、前面左側パネル２と左側面パネル４とを本固定するための構造について説明する。本固定は、左側面パネル４のうち、仮固定角穴部４ａの下方で行われる。
図７〜図９に示されるように、前面左側パネル２の背面には、筐体１０の背面側に突出する、本固定用の本固定爪部２ｂが設けられている。また、左側面パネル４のうち、仮固定角穴部４ａが設けられている面と同一の面に、本固定爪部２ｂが挿入される、角穴形状の本固定角穴部４ｂが設けられている。なお、本固定爪部２ｂは仮固定爪部２ａの下方に位置し、本固定角穴部４ｂは仮固定角穴部４ａの下方に位置している。
【００２６】
本固定爪部２ｂは、傾斜部２ｂ１，２ｂ２、及び溝部２ｂ３を有している。傾斜部２ｂ１は、本固定爪部２ｂの上端部に形成され、本固定爪部２ｂの基端部（筐体１０の前面側）から先端側（筐体１０の背面側）に向かって下向きに傾斜している。傾斜部２ｂ２は、本固定爪部２ｂの下端部に形成され、本固定爪部２ｂの基端側（筐体１０の前面側）から、先端側（筐体１０の背面側）に向かって傾斜している。溝部２ｂ３は、本固定爪部２ｂの下端部に形成され、本固定爪部２ｂの基端部から傾斜部２ｂ２の最も基端側の部位に向かって形成され、本固定爪部２ｂの下端から上方に抉られた形状となっている。
【００２７】
上述した仮固定が行われると、作業者は、仮固定爪部２ａが仮固定角穴部４ａに挿入された部位を回動中心として前面左側パネル２を回動させて、前面左側パネル２の本固定爪部２ｂを左側面パネル４の本固定角穴部４ｂに近接させていく。すると、本固定爪部２ｂは本固定角穴部４ｂに案内されて挿入され、本固定爪部２ｂは自重により落下して本固定角穴部４ｂに係止される。このようにして、前面左側パネル２と左側面パネル４とが本固定される。したがって、作業者は、仮固定により位置決めされて安定した前面左側パネル２を回動し、本固定爪部２ｂを本固定角穴部４ｂに挿入して係止することができるため、容易に本固定を行うことができる。
【００２８】
本固定爪部２ｂは、先端側（筐体１０の背面側）に向かって下向きに傾斜する傾斜部２ｂ１，２ｂ２を有しているため、仮固定爪部２ａが仮固定角穴部４ａに係止されている位置を回動中心として前面左側パネル２を回動させたとき、本固定爪部２ｂが本固定角穴部４ｂに挿入され易くなる。
【００２９】
また、本固定爪部２ｂは、本固定爪部２ｂの下端から上方に抉られている溝部２ｂ３を有しているため、本固定爪部２ｂが本固定角穴部４ｂに挿入された後、本固定爪部２ｂは自重により落下して本固定角穴部４ｂに係止され易くなる。
【００３０】
なお、上述したような本固定が行われた後、例えばネジ止めにより各パネル同士の固定等が行われ、室外機１００が組み立てられる。
【００３１】
以上のように、本実施の形態１に係る空気調和機の室外機１００は、左側面パネル４と前面左側パネル２とが筐体１０の前面側で固定される。このため、前面左側パネル２を容易に位置決めすることができる。
また、前面左側パネル２の上端部には、筐体１０の背面側に突出する仮固定爪部２ａが設けられ、左側面パネル４の前面側の上端部には、仮固定爪部が挿入される仮固定角穴部４ａが設けられ、仮固定爪部２ａ及び仮固定角穴部４ａは、天面パネルで覆われる。このため、前面左側パネル２が、左側面パネル４のうち筐体１０の組立後において露出しない室外機１００の非意匠面で固定される。したがって、筐体１０の組立後において露出する室外機１００の意匠面が傷付くことを抑制でき、室外機１００の組立作業時の品質の安定性が向上する。
【００３２】
また、本実施の形態１に係る空気調和機の室外機１００は、前面左側パネル２に、筐体１０の背面側に突出する本固定爪部２ｂが設けられ、左側面パネル４には、仮固定爪部２ａが仮固定角穴部４ａに挿入された状態で前面左側パネル２を回動させて、本固定爪部２ｂが挿入される本固定角穴部４ｂが設けられている。
このため、仮固定が行われた後、作業者により、仮固定爪部２ａが仮固定角穴部４ａに係止されている位置を回動中心として前面左側パネル２が回動されると、前面左側パネル２の本固定爪部２ｂが左側面パネル４の本固定角穴部４ｂに近接していく。すると、本固定爪部２ｂは本固定角穴部４ｂに案内されて挿入され、本固定爪部２ｂは自重により落下して本固定角穴部４ｂに係止される。このようにして、前面左側パネル２と左側面パネル４とが本固定される。
したがって、作業者は、仮固定により位置決めされて安定した前面左側パネル２を回動し、本固定爪部２ｂを本固定角穴部４ｂに挿入して係止することができるため、容易に本固定を行うことができる。
【００３３】
なお、本実施の形態１では、前面左側パネル２及び左側面パネル４の固定について説明したがこれに限定されない。
例えば、ファン３０が室外機１００の右側に設けられている場合には、ファン３０に対向して設けられる筐体１０の前面側の一部を構成するパネルと、筐体１０の前面側の一部及び右側面側を構成するパネルとを仮固定及び本固定することで室外機１００を組み立ててもよい。
【００３４】
また、本実施の形態１では、筐体１０の前面側で、前面左側パネル２と左側面パネル４とを固定する例について説明したが、これに限定されない。筐体１０の背面側で、２つのパネルを固定する際に、一方のパネルに仮固定爪部及び本固定爪部を設け、他方のパネルに仮固定角穴部及び本固定角穴部を設け、仮固定及び本固定を行ってもよい。
【００３５】
また、本実施の形態１では、角穴形状の仮固定角穴部４ａが設けられる例について説明したが、これに限定されず、仮固定爪部２ａが挿入される形状であって、仮固定爪部２ａが仮固定角穴部４ａに挿入された状態で前面左側パネル２を回動させられる形状であれば、台形型の穴など他の形状も採用することができる。
【００３６】
また、本実施の形態１では、角穴形状の本固定角穴部４ｂが設けられる例について説明したが、これに限定されず、本固定爪部２ｂが挿入される形状であれば、台形型の穴など他の形状も採用することができる。
【００３７】
また、本実施の形態１では、前面左側パネル２に仮固定爪部２ａが設けられ、左側面パネル４に仮固定角穴部４ａが設けられる例について説明したが、これに限定されない。例えば、前面左側パネル２に仮固定角穴部４ａが設けられ、左側面パネル４に仮固定爪部２ａが設けられていてもよい。なお、この場合には、仮固定爪部２ａの形状が、仮固定爪部２ａが仮固定角穴部４ａに係止できる形状である必要がある。
【符号の説明】
【００３８】
２  前面左側パネル、２Ａ  吹出口、２ａ  仮固定爪部、２ｂ  本固定爪部、２ｂ１，２ｂ２  傾斜部、２ｂ３  溝部、２ｃ  ファンガード、３  前面右側パネル、４  左側面パネル、４Ａ  吸込口、４ａ  仮固定角穴部、４ｂ  本固定角穴部、５  背面右側パネル、６  背面左側パネル、６Ａ  吸込口、７  天面パネル、１０  筐体、２０  熱交換器、３０  ファン、４０  仕切板、１００  室外機。
【図１】
2014070861.tif 000003
【図２】
2014070861.tif 000004
【図３】
2014070861.tif 000005
【図４】
2014070861.tif 000006
【図５】
2014070861.tif 000007
【図６】
2014070861.tif 000008
【図７】
2014070861.tif 000009
【図８】
2014070861.tif 000010
【図９】
2014070861.tif 000011